(57)【要約】【課題】ユーザへの見やすさを確保しつつ、紙資源の無駄を防止した携帯情報端末の表示画像の集約印刷装置、集約印刷方法、及びプログラムを提供する。【解決手段】携帯情報端末６０から少なくとも印刷対象画面の画像情報及び印刷対象の画面サイズを受信する受信部２２と、前記受信した画面サイズを予め設定された許容縮小率によって縮小した画面サイズに基づいて、複数の印刷対象画面の画像情報を所定の用紙に所定の余白を伴って配置する集約部２５と、前記集約により前記用紙に前記所定の余白以上の余剰余白が存在する場合、当該余剰余白の限りで、前記縮小した画面サイズを拡大し再配置する集約レイアウト部２６と、を備える。【選択図】図１
2013123796.tif 000002
【特許請求の範囲】
【請求項１】
携帯情報端末から少なくとも印刷対象画面の画像情報及び印刷対象の画面サイズを受信する受信部と、
前記受信した画面サイズを予め設定された許容縮小率によって縮小した画面サイズに基づいて、複数の印刷対象画面の画像情報を所定の用紙に所定の余白を伴って配置する集約部と、
前記集約により前記用紙に前記所定の余白以上の余剰余白が存在する場合、当該余剰余白の限りで、前記縮小した画面サイズを拡大し再配置する集約レイアウト部と、を備えることを特徴とする携帯情報端末の表示画像の集約印刷装置。
【請求項２】
請求項１に記載の携帯情報端末の表示画像の集約印刷装置であって、
前記再配置後において、なお前記用紙の縦・横のいずれかに余剰余白が存在する場合は、当該余剰余白を均等配分することを特徴とする携帯情報端末の表示画像の集約印刷装置。
【請求項３】
請求項１又は２に記載の携帯情報端末の表示画像の集約印刷装置であって、
前記受信部が前記携帯情報端末から前記許容縮小率の指示を受信した場合は、当該受信した許容縮小率によって前記受信した画面サイズを縮小することを特徴とする携帯情報端末の表示画像の集約印刷装置。
【請求項４】
請求項１〜３のいずれか１項に記載の携帯情報端末の表示画像の集約印刷装置であって、
前記受信部が前記携帯情報端末から前記所定の余白の指示を受信した場合は、当該受信した余白を伴って前記複数の印刷対象画面の画像情報を前記用紙に配置することを特徴とする携帯情報端末の表示画像の集約印刷装置。
【請求項５】
請求項１〜４のいずれか１項に記載の携帯情報端末の表示画像の集約印刷装置であって、
前記受信部が前記携帯情報端末から印刷物を綴じる指示を受信した場合は、前記所定の余白は綴じ代を考慮して設定されることを特徴とする携帯情報端末の表示画像の集約印刷装置。
【請求項６】
携帯情報端末から少なくとも印刷対象画面の画像情報及び印刷対象の画面サイズを受信するステップと、
前記受信した画面サイズを予め設定された許容縮小率によって縮小した画面サイズに基づいて、複数の印刷対象画面の画像情報を所定の用紙に所定の余白を伴って配置するステップと、
前記集約により前記用紙に前記所定の余白以上の余剰余白が存在する場合、当該余剰余白の限りで、前記縮小した画面サイズを拡大し再配置するステップと、を含むことを特徴とする携帯情報端末の表示画像の集約印刷方法。
【請求項７】
コンピュータに請求項６に記載の印刷ステップ方法の各ステップを実行させるためのプログラム。
【発明の詳細な説明】
【技術分野】
【０００１】
本発明は、携帯情報端末の表示画像の集約印刷装置、集約印刷方法、及びプログラムに関し、詳細には、携帯情報端末に表示される複数ページに亘る画像情報を用紙に印刷する携帯情報端末の表示画像の集約印刷装置、集約印刷方法、及びプログラムに関する。
【背景技術】
【０００２】
携帯情報端末はＷｅｂ上で提供された様々なコンテンツを受信でき、この携帯情報端末を所持したユーザは、その画面を通じてコンテンツの内容を閲覧したり、その表示内容の印刷物を画像形成装置から取得できる。
ここで、このコンテンツでは、携帯情報端末の画面に合った画像や文字の大きさが指定されている。このため、例えば、小さな画面の表示内容を単に印刷すると、用紙サイズに対して画像や文字が非常に小さく表示される。
【０００３】
そこで、例えば、特許文献１には、携帯情報端末の機種や解像度などのプロファイル情報を画像形成装置で利用する技術が開示されている。画像形成装置は、このプロファイル情報と用紙サイズとを比較し、印刷指示された画像情報を用紙に合わせて自動的に拡大・縮小する。これにより、用紙サイズに合致した印刷物を携帯情報端末のユーザに提供する。
【先行技術文献】
【特許文献】
【０００４】
【特許文献１】特開２００７−４８１３３号公報
【発明の概要】
【発明が解決しようとする課題】
【０００５】
ところで、近年の画像表示デバイスの技術の進化に伴い、携帯情報端末には、いわゆる電子書籍と呼ばれるような、大きな画面を有するものが登場している。この大きな画面は、例えばＡ４用紙よりも小さな書籍サイズで形成されており、その画像情報の画像や文字の大きさ等をユーザが容易に変更できる。つまり、この携帯情報端末のユーザは、自身が画像情報の内容を見やすいように、例えば、画像情報１ページ分の大きさを画面の大きさにほぼ一致するまで拡大させることも考えられる。
【０００６】
ここで、ユーザ自身が画面の大きさにまで拡大表示した内容を印刷するにあたり、上記従来の技術のような用紙サイズに合わせて自動的に拡大・縮小する技術を適用すると、そもそもユーザにとって見やすく拡大した大きさが自動的に変わり、却って見づらい大きさで印刷されることもある。
一方、この画面の大きさにまで拡大表示した内容を、そのままの大きさで印刷すると、画面の大きさと用紙の大きさとが一致しない場合には余白が生ずる。例えば、画像情報１ページ分の外周縁と上記Ａ４用紙の外周縁との間には、大きな余白が形成され、紙資源の無駄になる。
【０００７】
本発明は、上述の如き実情に鑑みてなされたもので、ユーザへの見やすさを確保しつつ、紙資源の無駄を防止した携帯情報端末の表示画像の集約印刷装置、集約印刷方法、及びプログラムを提供することを目的とする。
【課題を解決するための手段】
【０００８】
上記課題を解決するために、本発明の第１の技術手段は、携帯情報端末から少なくとも印刷対象画面の画像情報及び印刷対象の画面サイズを受信する受信部と、前記受信した画面サイズを予め設定された許容縮小率によって縮小した画面サイズに基づいて、複数の印刷対象画面の画像情報を所定の用紙に所定の余白を伴って配置する集約部と、前記集約により前記用紙に前記所定の余白以上の余剰余白が存在する場合、当該余剰余白の限りで、前記縮小した画面サイズを拡大し再配置する集約レイアウト部と、を備えることを特徴とする携帯情報端末の表示画像の集約印刷装置である。
【０００９】
第２の技術手段は、第１の技術手段において、前記再配置後において、なお前記用紙の縦・横のいずれかに余剰余白が存在する場合は、当該余剰余白を均等配分することを特徴とするものである。
第３の技術手段は、第１又は２の技術手段において、前記受信部が前記携帯情報端末から前記許容縮小率の指示を受信した場合は、当該受信した許容縮小率によって前記受信した画面サイズを縮小することを特徴とするものである。
【００１０】
第４の技術手段は、第１〜３のいずれかの技術手段において、前記受信部が前記携帯情報端末から前記所定の余白の指示を受信した場合は、当該受信した余白を伴って前記複数の印刷対象画面の画像情報を前記用紙に配置することを特徴とするものである。
【００１１】
第５の技術手段は、第１〜４のいずれかの技術手段において、前記受信部が前記携帯情報端末から印刷物を綴じる指示を受信した場合は、前記所定の余白は綴じ代を考慮して設定されることを特徴とするものである。
【００１２】
第６の技術手段は、携帯情報端末の表示画像の集約印刷方法であって、携帯情報端末から少なくとも印刷対象画面の画像情報及び印刷対象の画面サイズを受信するステップと、前記受信した画面サイズを予め設定された許容縮小率によって縮小した画面サイズに基づいて、複数の印刷対象画面の画像情報を所定の用紙に所定の余白を伴って配置するステップと、前記集約により前記用紙に前記所定の余白以上の余剰余白が存在する場合、当該余剰余白の限りで、前記縮小した画面サイズを拡大し再配置するステップと、を含むことを特徴とするものである。
【００１３】
第７の技術手段は、プログラムであって、コンピュータに第６の技術手段に記載の印刷ステップ方法の各ステップを実行させることを特徴とするものである。
【発明の効果】
【００１４】
本発明によれば、印刷対象画面の画像情報を用紙に印刷するにあたり、携帯情報端末で見慣れた大きさに維持するが、この用紙に大きな余白が生じないように自動的に拡大して集約している。このため、ユーザへの見やすさを確保するとともに、紙資源の無駄防止を図ることができる。
【図面の簡単な説明】
【００１５】
【図１】本発明の集約印刷装置を含む画像形成システムの構成図である。
【図２】本発明の画像形成システムに適用可能な携帯情報端末の説明図である。
【図３】本発明の携帯情報端末に表示される画像情報の説明図である。
【図４】本発明の集約印刷装置による集約印刷のフローチャートである。
【図５】本発明の集約印刷装置で生成される印刷領域の説明図である。
【図６】本発明の集約印刷装置で生成される印刷データの説明図である。
【図７】本発明の集約印刷装置で生成される印刷データの説明図である。
【図８】本発明の集約印刷装置で処理される用紙の説明図である。
【発明を実施するための形態】
【００１６】
以下、図面を参照しながら本発明の携帯情報端末の表示画像の集約印刷装置について説明する。図１は、本発明の集約印刷装置を含む画像形成システムの構成図であり、画像形成システム１は、画像形成装置１０と携帯情報端末６０との間で情報を送受可能に構成されている。画像形成装置１０は、画像読取部１１、操作部１３、ＣＰＵ２１、画像処理部２３、集約処理部２４、ネットワーク処理部３０、画像形成部４０、及び後処理装置４５を有する。
【００１７】
画像読取部１１は、所定位置にセットされた原稿を光学的に読み取り可能に構成されている。また、画像読取部１１は画像読取制御部１２を有し、読み取られた原稿の画像データは、画像読取制御部１２及び画像処理部２３を経由して画像形成部４０に出力される。
操作部１３は、例えば、液晶のディスプレイ、透明抵抗膜方式のタッチパネルや、接触接点を用いたハードキーからなる操作キーで構成され、このタッチパネルは、画像形成装置１０を操作するためのＧＵＩ（グラフィカルユーザインタフェース）を上記ディスプレイに表示させる。
【００１８】
この操作部１３で入力されたユーザの指示情報は制御コマンド・データとして、例えば、画像読取制御部１２から画像処理部２３に出力され、次いで、画像形成部４０にも出力されている。
画像処理部２３は、画像形成装置１０の中枢的な役割を担い、画像形成装置１０を円滑に動作させるように、或いは、例えば、操作部１３からのユーザの指示などに応じた画像データを生成できるように、画像読取部１１、操作部１３や画像形成部４０等と連携して動作する。
【００１９】
画像処理部２３は、画像読取部１１及び画像形成部４０に接続され、画像読取部１１で光学的に読み取られた原稿の画像データに種々の処理を行って画像形成用の画像データを生成する。この生成された画像データが画像形成部４０に出力される。
画像処理部２３はメモリ２７を有し、このメモリ２７には上記読み取られた原稿の画像や上記変換して生成された画像データを格納できる。また、画像処理部２３は、この変換して生成された画像データをプレビュー用画像に編集可能に構成されており、このプレビュー用画像のデータは画像読取制御部１２を経由して操作部１３に出力される。
【００２０】
一方、画像形成部４０は、給紙、画像形成、転写、定着、排紙等を行って印刷を実行する。詳しくは、画像形成部４０は画像形成制御部４１を有し、この画像形成制御部４１が画像処理部２３からの画像データを実際に画像形成させ、用紙に出力するなどの制御を行う。なお、この用紙への出力には、後述する集約設定、綴じ代設定など、ユーザの希望に応じた種々の印刷が可能である。
【００２１】
また、画像形成部４０は両面印刷機能を備えており、ユーザが両面印刷を希望した場合には、用紙の片面の他、もう一方の面にも画像処理部２３からの画像データを出力できる。さらに、画像形成部４０は、ユーザが印刷後の用紙の紙折りや、ステープル、或いはファイリング用の穴明け等の処理を希望した場合には、紙折部４４やステープル部４５などが用紙に各処理を施せるように、後処理装置４３と連携して動作する。
【００２２】
ネットワーク処理部３０はモデムを有し、携帯情報端末６０と通信してデータ等の送受を実行する。具体的には、このモデムは、電話回線のような公衆回線網５２に接続されており、公衆回線網５２の基地局５３を経由して携帯情報端末６０との間でデータ等の送受を実行できる。なお、ネットワーク処理部３０は、近距離無線用や有線用のユニットを有してもよい。近距離無線用のユニットでは、いわゆる無線ＬＡＮやＢｌｕｅｔｏｏｔｈ（登録商標）等の近距離無線通信が行われる。有線用のユニットは、イーサネット（登録商標）と呼ばれる通信のうち有線によるものであり、例えば、ＴＰケーブルや光ファイバーケーブルを用いて接続されたＷＡＮ／ＬＡＮや接続器を介して携帯情報端末６０との間でデータ等の送受を実行できる。なお、ＵＳＢケーブルを用いて携帯情報端末６０と通信できる構成であってもよい。
【００２３】
図２は、本発明の画像形成システムに適用可能な携帯情報端末の説明図である。携帯情報端末６０は、例えば、この図２（Ａ）に併記した縦方向の長さが横方向の長さに比して長く形成され、長方形板状の端末本体６１を有する。
端末本体６１の外周にはアンテナ６２が、また、端末本体６１の内部には画面６３が設置されている。この画面６３が本発明の印刷対象画面に相当する。画面６３は、例えば、端末本体６１の形状にほぼ相似形で構成されており、横辺６４Ｃよりも長い縦辺６４Ｌを有した外周縁を備えている。
【００２４】
また、画面６３は、例えば、液晶のディスプレイに重ねられた静電容量方式のタッチパネルで構成され、携帯情報端末６０にダウンロードした情報を表示できる。
図２以降の携帯情報端末６０では画像情報７０がダウンロードされ、画像情報７０は画面６３の大きさで見て複数ページに亘るデータ量を有している場合を想定する。
【００２５】
図３は、本発明の携帯情報端末に表示される画像情報の説明図であり、図３（Ａ）の画像情報７０は、日本語のかな文字が縦書きで記載され、第４ページ目までの１ページ分の画像情報７１，７２，７３，７４が示されている。
この図３（Ａ）の画像情報７０を冊子にしたい場合には、印刷して折り畳んだ後に、右方が中綴じされて右開きになる。一方、図３（Ｂ）の画像情報７０は、日本語のかな文字が横書きで記載され、画像情報７１，７２，７３，７４が示されている。このため、冊子にしたい場合には、左方が中綴じされて左開きになる。
【００２６】
なお、印刷時に、綴じ方（開き方）の情報が携帯情報端末６０から得られないときは、画像形成装置１０は、表示の言語或いは文字の種類、又は、縦書きか横書きか等を分析して綴じ方を推定できる。また、この例ではひらがなの文字を羅列したが、漢字の他、如何なる文字が含まれていてもよいし、絵や写真などの画像を混在させてもよい。
【００２７】
図２（Ａ）に示すように、携帯情報端末６０のユーザは、画像情報７０のうち１ページ分の画像情報７１を画面６３に表示し、その際、この１ページ分の画像情報７１を、ユーザ自身が見やすいように、画面６３の大きさにまで拡大している。このため、画面６３の横辺６４Ｃと画像情報７１との間や、画面６３の縦辺６４Ｌと画像情報７１との間には外周縁余白が見えている。
【００２８】
ここで、１ページ分の画像情報７１を画面６３に表示していた場合に、ユーザが画像情報７０を印刷するときには、携帯情報端末６０は、その画面サイズ、画像情報７０のページ進行方向、印刷用の画像データや、希望の処理内容を画像形成装置１０、詳しくは、ネットワーク処理部３０の集約用受信部２２に送信する。なお、集約用受信部２２が本発明の受信部に相当する。
【００２９】
例えば、携帯情報端末６０の画面サイズは、画面６３の実寸、或いは、１ページ分の画像情報７１の実寸などであり、画像情報７０のページ進行方向には右開きか左開きかがある。また、印刷用の画像データには、ビットマップイメージによる表示画像そのもの、或いは、表示画像をデータとプリント記述言語で表したものの他、印刷ページ数がある。なお、画像形成装置１０に内蔵のフォントを使用しないときにはフォントデータを印刷用の画像データに含めてもよい。また、希望の処理内容には、希望する用紙サイズ、印刷レイアウトの要求、両面印刷指示や後処理指示がある。
【００３０】
一方、画像形成装置１０は、使用可能な用紙サイズや利用可能な処理の情報、印刷レイアウトのプレビュー画像を携帯情報端末６０に送信、若しくは操作部１３に表示する。
例えば、利用可能な処理の情報には、両面印刷を利用できる旨、紙折りやステープル等を利用できる旨があり、印刷レイアウトのプレビュー画像には、集約設定や綴じ設定の仕上がり例を表示できる。なお、このプレビュー画像は、画像形成装置１０が携帯情報端末６０に提供するのみならず、携帯情報端末６０側が演算処理して生成してもよい。
【００３１】
図１に戻り、ユーザが希望した画像情報７０の印刷は、画像処理部２３や集約処理部２４で設定される。
集約処理部２４は、集約部２５及び集約レイアウト部２６を有し、集約部２５は、ユーザが集約印刷を希望した場合に、画面６３に現在表示している１ページ分の画像情報７１に関する値に基づいて、用紙サイズに対する画像情報７０の集約ページ数を設定する。なお、集約部２５は、ユーザが綴じ代設定を希望した場合、例えば、縦綴じ、横綴じ、或いは、中綴じを行える綴じ代も用紙に形成する。
【００３２】
集約レイアウト部２６は、この集約配置された画像情報１ページ分の大きさを画像情報７１の大きさに近づけるために、例えば、集約配置された画像情報１ページ分に対する最大の縮尺率を求めており、画像処理部２３では、この集約レイアウト部２６による修正後のデータの印刷を画像形成部４０に実行させ、印刷物をユーザに提供する。
このように、画像情報７０を携帯情報端末６０からの要求に応じて印刷し、そのユーザに提供すれば、携帯情報端末６０を起動できない場所でも、画像情報７０の内容は印刷物から見ることができ、携帯情報端末６０を所持するユーザの利便性向上に寄与する。
【００３３】
図４は、本発明の集約印刷装置による集約印刷のフローチャートである。集約用受信部２２が画像情報７０の印字要求を携帯情報端末６０から受け取り（ステップＳ１０１）、画像処理部２３が画像情報７０の集約設定の希望を検出した場合（ステップＳ１０２のＹＥＳ）には、集約処理部２４は、携帯情報端末６０側の例えば、画面６３及び現在表示されている１ページ分の画像情報７１に関する各値、並びに、画像形成部４０側の用紙に関する値を取得する。
【００３４】
より具体的には、画面６３への表示内容とは無関係のパラメータとしては、図２（Ｂ）に示すように、例えば、画面６３の実寸である横辺６４Ｃの長さｐ（例えば１１０ｍｍ）及び縦辺６４Ｌの長さｑ（例えば１７０ｍｍ）、用紙サイズとして長辺の長さｕ（例えばＡ４サイズで言えば２９７ｍｍ）及び短辺の長さｖ（例えばＡ４サイズで言えば２１０ｍｍ）がある。なお、画面６３の大きさは画素数及び解像度から求めてもよい。
【００３５】
また、画面６３への表示内容から分かるパラメータとしては、例えば、１ページ分の画像情報７１の横方向長さｒ（例えば９０ｍｍ）及び縦方向長さｔ（例えば１４０ｍｍ）、１ページ分の画像情報７１の横方向の許容余白率ｓｘ（例えばユーザ指定による左側と右側を合わせて５％）、縦方向の許容余白率ｓｙ（例えばユーザ指定による上側と下側を合わせて１０％）、及び１ページ分の画像情報７１の許容縮小率ｍ（例えばユーザ指定による横方向及び縦方向同じく８６％）が集約処理部２４に集められる。
【００３６】
許容余白率ｓｘ，ｓｙとは、用紙に集約配置する際に、１ページ分の画像情報７１に許容される外周縁余白の大きさであり、許容縮小率ｍとは、用紙に集約配置する際に、１ページ分の画像情報７１に許容される大きさである。なお、この許容縮小率ｍは、許容余白率ｓｘ、ｓｙや許容縮小率ｍは、集約用受信部２２が携帯情報端末６０から許容余白率ｓｘ，ｓｙや許容縮小率ｍの指示を受信しない場合、予め設定された標準の値を用いてもよい。
【００３７】
集約部２５は、例えば、ステップＳ１０４〜ステップＳ１０７のループにて、用紙サイズに対する画像情報７０の集約ページ数Ｎを設定する（ステップＳ１０５、Ｓ１０６）。
具体的には、以降の縮小・拡大される点を鑑み、まず、集約用受信部２２で受信された１ページ分の画像情報７１，７２・・・を第１印刷領域の画像情報と称すると、用紙の長辺方向の集約数ｉ及び用紙の短辺方向の集約数ｊとし、これら集約数ｉ，ｊを初期値１から１ずつ加算した場合、例えば、用紙の長辺の長さｕが第１印刷領域の画像情報７１の横方向長さｒのｉ倍に相当し、かつ、用紙の短辺の長さｖが第１印刷領域の画像情報７１の縦方向長さｔのｊ倍に相当するかを示す式（（１＋ｓｘ）×ｍ×ｒ≦ｕ／ｉ、かつ、（１＋ｓｘ）×ｍ×ｔ≦ｖ／ｊ、或いは、用紙の短辺の長さｖが画像情報７１の横方向長さｒのｊ倍に相当し、かつ、用紙の長辺の長さｕが画像情報７１の縦方向長さｔのｉ倍に相当するかを示す式（（１＋ｓｘ）×ｍ×ｒ≦ｖ／ｊ、かつ、（１＋ｓｘ）×ｍ×ｔ≦ｕ／ｉ）を満たす１組の集約数ｉ，ｊを求めている（ステップＳ１０５）。なお、集約数（ｉ，ｊ）＝（１，１）のときには、例えば、通常印刷される（ステップＳ１１２）。
【００３８】
この集約部２５にて、第１印刷領域の画像情報に上記許容余白率ｓｘ、ｓｙを加味し、許容縮小率ｍで縮小した画面サイズの情報を第２印刷領域の画像情報と称する。
次に、集約部２５は、上記の式で求まる１組の集約数ｉ，ｊを用い、式（Ｎ＜ｉ×ｊ）を満たす用紙１枚あたりに集約するページ枚数Ｎを１つ設定している（ステップＳ１０６）。なお、この式の左辺のＮには１から順に代入されており、式（Ｎ≧ｉ×ｊ）、このＮの値がｉとｊとの積を超えた場合、ステップＳ１０４のループの先頭に戻る。そして、集約部２５は、上記ループを繰り返し、複数通りのｉとｊの組み合わせを求める。
【００３９】
続いて、集約レイアウト部２６は、上記第２印刷領域の画像情報７１ａに対する最大の縮尺率Ｓｍａｘを求めている（ステップＳ１０８）。
具体的には、この第２印刷領域の画像情報７１ａの大きさ（ｒ１×ｔ１）を、第１印刷領域の画像情報７１の大きさ（ｒ×ｔ）に近づけるように修正する縮尺率Ｓとした場合、例えば、用紙の長辺の長さｕが第２印刷領域の画像情報７１ａの横方向長さｒ１のｘ倍に相当し、かつ、用紙の短辺の長さｖが第２印刷領域の画像情報７１ａの縦方向長さｔ１のｙ倍に相当するかを示す式（（１＋ｓｘ）×Ｓ×ｒ１≦ｕ／ｘ、かつ、（１＋ｓｘ）×Ｓ×ｔ１≦ｖ／ｙ）、或いは、用紙の短辺の長さｖが第２印刷領域の画像情報７１ａの横方向長ｒ１さのｙ倍に相当し、かつ、用紙の長辺の長さｕが第２印刷領域の画像情報７１ａの縦方向長さｔ１のｘ倍に相当するかを示す式（（１＋ｓｘ）×Ｓ×ｒ１≦ｖ／ｙ、かつ、（１＋ｓｘ）×Ｓ×ｔ１≦ｕ／ｘ）を満たす縮尺率Ｓを求めている（ステップＳ１０８）。
【００４０】
この集約レイアウト部２６にて、第２印刷領域の画像情報に上記許容余白率ｓｘ、ｓｙを加味し、縮尺率Ｓで拡大して再配置した画面サイズの情報を第３印刷領域の画像情報と称する。
縮尺率Ｓは、上記複数の候補（ｘ，ｙ）に応じて複数求められ、画像処理部２３は、そのうちの最大値であった縮尺率Ｓを最大縮尺率Ｓｍａｘに決定している。その後、画像処理部２３は、決定した最大縮尺率Ｓｍａｘ、並びに、この最大縮尺率Ｓｍａｘの導出に用いた用紙長辺方向の集約数Ｘ及び用紙短辺方向の集約数Ｙに基づいて、集約印刷レイアウトを作成し、印刷データを得る（ステップＳ１０９）。
【００４１】
図５は、本発明の集約印刷装置で生成される印刷領域の説明図である。本実施例では、集約部２５によって画像情報７０の集約ページ数Ｎ（＝例えば２）、集約数（ｉ，ｊ）＝（例えば２，１）が設定された場合を想定すると、図５（Ａ）に示すように、例えば、用紙の左上を基準にし、長さｕの長辺に沿って、第１印刷領域の画像情報７１の内容に相当する第２印刷領域の画像情報７１ａが右側に、第１印刷領域の画像情報７２の内容に相当する第２印刷領域の画像情報７２ａが左側に配置されている。
【００４２】
また、この用紙の右下側には、所定の余白以上の余剰余白が存在している。このため、図５（Ｂ）に示すように、例えば、用紙の左上を基準にしたまま、第２印刷領域の画像情報７１ａ，７２ａが、当該余剰余白の限りで、第３印刷領域の画像情報７１ｂ，７２ｂにそれぞれ拡大して再配置されている。
そして、集約処理部２４は、例えば、この図５（Ｂ）のように、再配置後において、なお用紙の右下側に余剰余白が存在する場合、当該余剰余白を均等配分している。
【００４３】
なお、上記第２印刷領域の画像情報７１ａ，７２ａを用紙の中央を基準に配置することも可能であり、この場合には、第３印刷領域の画像情報７１ｂ，７２ｂにそれぞれ拡大し再配置すれば、集約処理部２４による余剰余白を均等配分は不要である。
次に、画像処理部２３は、この集約印刷レイアウトのプレビュー画像を携帯情報端末６０若しくは操作部１３に出力し、ユーザがこの印刷を許可した場合（ステップＳ１１０のＹＥＳ）、画像形成部４０は上記レイアウトによる印刷を実施し、一連のルーチンを抜ける。一方、ユーザがこの印刷を許可しない場合（ステップＳ１１０のＮＯ）には、画像形成部４０は上記レイアウトによる印刷を実施せず、一連のルーチンを抜ける。
【００４４】
図６は、本発明の集約印刷装置で生成される印刷データの説明図であり、集約部２５によって、上記のように、印刷データ８０は、Ａ４サイズの用紙Ｐに対し、画像情報７０の集約ページ数Ｎ（＝例えば２）、集約数（Ｘ，Ｙ）＝（例えば２，１）に、また、集約レイアウト部２６によって、例えば、最大縮尺率Ｓｍａｘが例えば９８％に決定されており、画面６３に現在表示している１ページ分の画像情報７１の大きさに近づけるように、拡大した１ページ分の印刷データ８１，８２，８３，８４が生成されている。なお、この印刷データ８０では両面印刷が希望されている。
【００４５】
図６（Ａ），（Ｂ）に示すように、仮に、１ページ分の印刷データ８１だけが用紙Ｐに印刷されると、この印刷データ８１の周囲には余白が非常に目立ち、１枚の用紙Ｐの表裏両面を使っても２ページ分の印刷データ８１，８２しか印刷できないことが分かる。
しかし、本発明によれば、図６（Ｃ），（Ｄ）に示すように、１枚の用紙Ｐの表面に２ページ分の印刷データ８１，８２が集約され、その裏面にも２ページ分の印刷データ８３，８４が集約されており、１枚の用紙Ｐの表裏両面を使って４ページ分の印刷データ８１，８２，８３，８４を印刷できる。
【００４６】
なお、この図６（Ｃ），（Ｄ）に示すように、用紙Ｐに余白がある場合には、集約設定の際にページ番号を付与すれば、ページの順序が分かり難くならない。このページ番号は画像情報７０のページ番号、或いは、印刷データ８０のページ順のいずれでもよく、また、これら双方を印字してもよい。
【００４７】
ところで、携帯情報端末６０のユーザが、例えば中綴じを希望した場合には、集約部２５は、綴じる位置に集約後の画像情報が配置されないように、集約数（ｉ，ｊ）を設定している。例えば、集約数（ｘ，ｙ）＝（例えば２，１）が設定された場合を想定すると、上述のステップＳ１０５の各式の右辺では、綴じ代の幅ｗに対し、横綴じや縦綴じを希望した場合と同様に、用紙の短辺や長辺の長さが綴じ代の幅ｗ分だけ短い長さに設定される他、さらに、画像情報が折り位置に配置されないように、集約ページ数Ｎの検討をしている。
【００４８】
図７は、本発明の集約印刷装置で生成される印刷データの説明図であり、印刷データ９０は、Ａ４サイズの用紙Ｐに対し、画像情報７０の集約ページ数Ｎ（＝例えば２）、集約数（Ｘ，Ｙ）＝（例えば２，１）に、また、最大縮尺率Ｓｍａｘが例えば９６％に決定され、画面６３に現在表示している１ページ分の画像情報７１の大きさに近づけるように、拡大した１ページ分の印刷データ９１，９２，９３，９４が生成されている。ただし、中綴じをするために、１枚の用紙Ｐの表面には印刷データ８１，８４が集約され、その裏面には印刷データ８２，８３が集約され、かつ、印刷データ８１の裏側には印刷データ８２が、印刷データ８４の裏側には印刷データ８３がそれぞれ配置される。
【００４９】
これにより、上記図６の例と同様に１枚の用紙Ｐの表裏両面を使って４ページ分の印刷データ９１，９２，９３，９４を印刷でき、また、集約設定の際にページ番号が付与される。しかも、用紙Ｐの中央部分には、折り目を示す折り線Ｌが上下方向に沿って印字され、この折り線Ｌを跨いだ左右両側には、綴じ代の空間がそれぞれ設けられている。
このように、画像情報７０を用紙Ｐに自動的に拡大して集約印刷するにあたり、綴じて利用できるようにすれば、ユーザは、携帯情報端末６０と同様に印刷物も容易に携帯してその内容を閲覧でき、ユーザの利便性が向上する。
【００５０】
図８は、本発明の集約印刷装置で処理される用紙の説明図である。図７（Ａ）に示す両面印刷した右開きの印刷データ９０は、紙折部４４にて、印刷データ９１，９４の折り線Ｌが山折りとなるように折り畳まれる。４ページ分を１枚に集約した他の印刷データも同様に折り畳まれ、これら印刷データ９１，９２，９３，９４，９５，９７，９９，１０１は、ステープル部４５にてその右端へのステープル処理が施された後、後処理装置４５のトレイに排出される。なお、この図８では右開きでの例を表しているが、左開きも左右逆に考えるだけで、同様に綴じることができる。
【００５１】
ところで、上記実施例では、集約ページ数Ｎの設定に、画面６３に表示された１ページ分の画像情報７１の画像サイズを用いているが、この画像情報７１を表示している画面６３の実寸（或いは画素数及び解像度）を用いてもよい。
この場合には、図２に示すように、画面６３の横方向長さｐ、縦方向長さｑとすると、上記と同様に、集約部２５にて縮小された後、集約レイアウト部２６にて拡大されており、まず、図５（Ｃ）に示すように、例えば、用紙の左上を基準にし、長さｕの長辺に沿って、第２印刷領域の画像情報７１ｃが右側に、第２印刷領域の画像情報７２ｃが左側に配置されている。
【００５２】
次に、この用紙の右下側には、所定の余白以上の余剰余白が存在しているため、図５（Ｄ）に示すように、例えば、用紙の左上を基準にしたまま、第２印刷領域の画像情報７１ｃ，７２ｃが、当該余剰余白の限りで、第３印刷領域の画像情報７１ｄ，７２ｄにそれぞれ拡大して再配置される。そして、この場合にも、用紙の右下側に存在する余剰余白を均等配分すればよい。
【００５３】
また、上記実施例では、いわゆる２ｉｎ１の集約設定の例で説明したが、本発明は、複数のページを１枚の用紙に集約した種々の集約設定も当然に適用可能である。
【符号の説明】
【００５４】
１…画像形成システム、１０…画像形成装置、１１…画像読取部、１２…画像読取制御部、１３…操作部、２１…ＣＰＵ、２２…集約用受信部、２３…画像処理部、２４…集約処理部、２５…集約部、２６…集約レイアウト部、２７…メモリ、３０…ネットワーク処理部、４０…画像形成部、４１…画像形成制御部、４３…後処理装置、４４…紙折部、４５…ステープル部、５２…公衆回線網、５３…基地局、６０…携帯情報端末、６１…端末本体、６２…アンテナ、６３…画面、６４Ｃ…横辺、６４Ｌ…縦辺、７０…画像情報、７１，７２，７３，７４…１ページ分の画像情報、７１ａ，７２ａ，７１ｃ，７１ｃ…第２印刷領域の画像情報、７１ｂ，７２ｂ，７２ｄ，７１ｄ…第３印刷領域の画像情報、８０，９０…印刷データ、８１，８２，８３，８４…１ページ分の印刷データ、９１，９２，９３，９４，９５，９７，９９，１０１…１ページ分の印刷データ。
【図１】
2013123796.tif 000003
【図２】
2013123796.tif 000004
【図３】
2013123796.tif 000005
【図４】
2013123796.tif 000006
【図５】
2013123796.tif 000007
【図６】
2013123796.tif 000008
【図７】
2013123796.tif 000009
【図８】
2013123796.tif 000010